(57)【要約】【課題】診断に必要な情報の蓄積が行われたかどうかを確認可能にして、早急かつ正確な診断を支援することのできる診断支援装置、診断支援方法、及び、診断支援プログラムを提供する【解決手段】生体情報測定装置１は、被測定者から測定されて記憶媒体１３に記憶された複数の生体情報を用いて行われる診断を支援するシステム制御部１１を備える。システム制御部１１は、記憶媒体１３に記憶された複数の生体情報に基づいて、被測定者から測定される生体情報についての予め決められた条件の達成状況を判定する達成状況判定部１１Ｂと、達成状況を報知する処理を行う報知処理部１１Ｄと、を備える。【選択図】図２
2017184999.tif 000002
【特許請求の範囲】
【請求項１】
被測定者から測定されて記憶媒体に記憶された複数の生体情報を用いて行われる診断を支援する診断支援装置であって、
前記記憶媒体に記憶された複数の生体情報に基づいて、被測定者から測定される生体情報についての予め決められた条件の達成状況を判定する達成状況判定部と、
前記達成状況を報知する処理を行う報知処理部と、を備える診断支援装置。
【請求項２】
請求項１記載の診断支援装置であって、
前記条件は、前記記憶媒体に記憶された生体情報の数についての条件である診断支援装置。
【請求項３】
請求項２記載の診断支援装置であって、
前記条件は、前記記憶媒体に記憶された生体情報の数が閾値以上となることである診断支援装置。
【請求項４】
請求項２記載の診断支援装置であって、
前記条件は、前記記憶媒体に記憶された１日分の生体情報のグループの数が閾値以上となることである診断支援装置。
【請求項５】
請求項１記載の診断支援装置であって、
前記条件は、前記記憶媒体に記憶された生体情報の変化のパターンについての条件である診断支援装置。
【請求項６】
請求項５記載の診断支援装置であって、
前記条件は、前記記憶媒体に記憶された生体情報において、生体情報が一時的に基準値以上まで上昇するパターンの発生頻度が閾値以上となることである診断支援装置。
【請求項７】
請求項５記載の診断支援装置であって、
前記条件は、前記記憶媒体に記憶された生体情報の変化のパターンが特定のパターンを閾値回以上含むことである診断支援装置。
【請求項８】
請求項７記載の診断支援装置であって、
前記特定のパターンは、生体情報が一時的に基準値以上まで上昇するパターン、又は、生体情報の変動量が一時的に閾値以上となるパターンである診断支援装置。
【請求項９】
請求項７記載の診断支援装置であって、
前記特定のパターンは、ｅｘｔｒｅｍｅ−ｄｉｐｐｅｒ、ｎｏｎ−ｄｉｐｐｅｒ、又は、ｒｉｓｅｒである診断支援装置。
【請求項１０】
請求項１記載の診断支援装置であって、
前記条件は、前記記憶媒体に記憶された生体情報に絶対値が閾値以上となるものが含まれることである診断支援装置。
【請求項１１】
請求項１〜１０のいずれか１項記載の診断支援装置であって、
前記生体情報は血圧情報である診断支援装置。
【請求項１２】
生体情報を測定して記憶媒体に記憶する生体情報測定装置であって、
請求項１〜１１のいずれか１項記載の診断支援装置を備える生体情報測定装置。
【請求項１３】
請求項１２記載の生体情報測定装置であって、
前記報知処理部は、生体情報の測定終了指示がなされた場合、生体情報測定装置の電池残量が生体情報の測定動作に必要な残量閾値以下となった場合、又は、達成状況の報知指示がなされた場合に、前記達成状況を報知する生体情報測定装置。
【請求項１４】
請求項１２記載の生体情報測定装置であって、
前記報知処理部は、予め決められた期間毎に、前記達成状況を報知する生体情報測定装置。
【請求項１５】
請求項１２〜１４のいずれか１項記載の生体情報測定装置であって、
被測定者の通院予定日の情報を記憶する記憶媒体から前記通院予定日の情報を取得し、当該情報と前記達成状況とに基づいて、前記通院予定日に変更が必要か否かを判定する通院予定日変更判定部を更に備え、
前記報知処理部は、前記達成状況に加えて、前記通院予定日変更判定部による判定結果を更に報知する生体情報測定装置。
【請求項１６】
請求項１２〜１５のいずれか１項記載の生体情報測定装置であって、
前記報知処理部は、前記条件が達成された場合に、前記条件が達成されたことを示す情報を報知する生体情報測定装置。
【請求項１７】
請求項１２〜１６のいずれか１項記載の生体情報測定装置であって、
被測定者から検出される生体信号に基づいて拍単位で生体情報を算出する生体情報算出部を備える生体情報測定装置。
【請求項１８】
生体情報測定装置によって被測定者から測定されて記憶媒体に記憶された複数の生体情報を用いて行われる診断を支援する診断支援方法であって、
前記記憶媒体に記憶された複数の生体情報に基づいて、被測定者から測定される生体情報についての予め決められた条件の達成状況を判定する達成状況判定ステップと、
前記達成状況を報知する処理を行う報知処理ステップと、を備える診断支援方法。
【請求項１９】
生体情報測定装置によって被測定者から測定されて記憶媒体に記憶された複数の生体情報を用いて行われる診断を支援する診断支援プログラムであって、
前記記憶媒体に記憶された複数の生体情報に基づいて、被測定者から測定される生体情報についての予め決められた条件の達成状況を判定する達成状況判定ステップと、
前記達成状況を報知する処理を行う報知処理ステップと、をコンピュータに実行させるための診断支援プログラム。
【発明の詳細な説明】
【技術分野】
【０００１】
本発明は、診断支援装置、生体情報測定装置、診断支援方法、及び、診断支援プログラムに関する。
【背景技術】
【０００２】
血圧情報、脈拍情報、又は、心拍情報等の生体の診断に必要な生体情報は、通常、日内変化が大きい。このため、診断等のために、被測定者から生体情報を継続的に測定し記録することが行われる。
【０００３】
特許文献１には、オシロメトリック法によって血圧情報の測定を連続して複数回行い、この複数回の血圧情報の測定終了後に、測定された各血圧情報の信頼性を表す信頼率を表示する生体情報測定装置が記載されている。
【０００４】
特許文献２には、心拍数測定機能を有する活動量計において、測定終了時に、心拍数のトレンドグラフを表示させることが記載されている。
【先行技術文献】
【特許文献】
【０００５】
【特許文献１】特開２０１０−８８５７６号公報
【特許文献２】特開２００７−２１５７２２号公報
【発明の概要】
【発明が解決しようとする課題】
【０００６】
上述したような日内変化の大きい生体情報は、被測定者が自宅等で生体情報測定装置を定期的に使用して測定することが好ましい。
【０００７】
例えば、医師が、１日のうちの特定の複数の時刻（起床時、昼、及び、就寝前等）を指定し、被測定者が自宅において生体情報測定装置を複数日にわたって利用し、各日において、指定された複数の時刻の各々で生体情報を測定する。
【０００８】
被測定者は、医師から指定されたタイミングでの生体情報の測定が全て終わると、生体情報測定装置を病院に持参する。病院では、生体情報測定装置に記憶された複数日分の生体情報が医師によって確認されることで、医師によって治療方針が決められる。
【０００９】
このような利用形態では、治療方針の判断に必要なサンプル数の生体情報が測定されていない状態で生体情報測定装置が病院に持ち込まれる可能性がある。この結果、診断を正確に行うことができなかったり、正確な診断を行うために不足分の情報の測定を被測定者に再度依頼する等して診断に時間がかかったりする。特許文献１，２は、このような課題については考慮していない。
【００１０】
本発明は、上記事情に鑑みてなされたものであり、診断に必要な情報の蓄積が行われたかどうかを被測定者が確認可能にして、早急かつ正確な診断を支援することのできる診断支援装置、生体情報測定装置、診断支援方法、及び、診断支援プログラムを提供することを目的とする。
【課題を解決するための手段】
【００１１】
本発明の診断支援装置は、被測定者から測定されて記憶媒体に記憶された複数の生体情報を用いて行われる診断を支援する診断支援装置であって、前記記憶媒体に記憶された複数の生体情報に基づいて、被測定者から測定される生体情報についての予め決められた条件の達成状況を判定する達成状況判定部と、前記達成状況を報知する処理を行う報知処理部と、を備えるものである。
【００１２】
本発明の生体情報測定装置は、生体情報を測定して記憶媒体に記憶する生体情報測定装置であって、前記診断支援装置を備えるものである。
【００１３】
本発明の診断支援方法は、生体情報測定装置によって被測定者から測定されて記憶媒体に記憶された複数の生体情報を用いて行われる診断を支援する診断支援方法であって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、を備えるものである。
【００１４】
本発明の診断支援プログラムは、生体情報測定装置によって被測定者から測定されて記憶媒体に記憶された複数の生体情報を用いて行われる診断を支援する診断支援プログラムであって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、をコンピュータに実行させるためのものである。
【発明の効果】
【００１５】
本発明によれば、診断に必要な情報の蓄積が行われたかどうかを被測定者が確認可能にして、早急かつ正確な診断を支援することのできる診断支援装置、生体情報測定装置、診断支援方法、及び、診断支援プログラムを提供することができる。
【図面の簡単な説明】
【００１６】
【図１】本発明の一実施形態を説明するための生体情報測定装置１の内部ハードウェア構成を示す図である。
【図２】図１に示す生体情報測定装置１のシステム制御部１１の機能ブロック図である。
【図３】図１に示す生体情報測定装置１の動作を説明するためのフローチャートである。
【図４】図１に示す生体情報測定装置１の表示部１５の画面表示例を示す図である。
【図５】図１に示す生体情報測定装置１の表示部１５の画面表示例を示す図である。
【図６】本発明の一実施形態である診断支援システム１００の概略構成を示す図である。
【図７】図６に示す診断支援システム１００の電子機器２の内部ハードウェア構成を示す図である。
【図８】図７に示す電子機器２のシステム制御部２１の機能ブロック図である。
【発明を実施するための形態】
【００１７】
以下、本発明の実施形態について図面を参照して説明する。
【００１８】
図１は、本発明の一実施形態を説明するための生体情報測定装置１の内部ハードウェア構成を示す図である。
【００１９】
生体情報測定装置１は、血圧情報、脈拍情報、又は、心拍情報等の生体情報を測定して記憶媒体１３に記憶するものである。血圧情報は、例えば収縮期血圧、拡張期血圧、又は、平均血圧等を含む。脈拍情報は例えば脈拍数等を含む。心拍情報は例えば心拍数等を含む。
【００２０】
生体情報測定装置１は、脈波検出部１０と、全体を統括制御するシステム制御部１１と、通信インタフェース（Ｉ／Ｆ）１２と、記憶媒体１３と、操作部１４と、表示部１５と、を備える。
【００２１】
脈波検出部１０は、被測定者の生体部位（例えば手首等）から脈波を検出する。脈波検出部１０は、例えばトノメトリ法によって脈波としての圧脈波を検出するもの等が用いられる。脈波検出部１０は、脈波として容積脈波を検出するものであってもよい。脈波検出部１０は、動脈に光を当てて得られる動脈からの反射光によって脈波を検出するものであってもよい。
【００２２】
脈波検出部１０は、１拍（心臓が１回拍動する期間）毎に発生する脈波を検出し、検出した脈波をシステム制御部１１に入力する。
【００２３】
システム制御部１１は、プロセッサを主体に構成されており、プロセッサの実行するプログラム等が記憶されるＲＯＭ（Ｒｅａｄ  Ｏｎｌｙ  Ｍｅｍｏｒｙ）、及び、ワークメモリとしてのＲＡＭ（Ｒａｎｄｏｍ  Ａｃｃｅｓｓ  Ｍｅｍｏｒｙ）等を含む。
【００２４】
システム制御部１１は、脈波検出部１０により１拍毎に検出された脈波に基づいて生体情報を算出し、算出した生体情報を、該脈波が検出された年月日を示す日付の情報及び該脈波が検出された時刻の情報と対応付けて記憶媒体１３に記憶する。
【００２５】
通信Ｉ／Ｆ１２は、他の電子機器（例えば病院等に設置された病院端末）と有線又は無線等で接続するためのインタフェースである。
【００２６】
記憶媒体１３は、システム制御部１１によって算出された生体情報等の各種データを記憶する。記憶媒体１３は、例えばフラッシュメモリ又はハードディスク等により構成される。記憶媒体１３は、生体情報測定装置１に着脱可能な可搬型のものであってもよい。
【００２７】
記憶媒体１３には、操作部１４を操作することで任意の情報を記憶することができる。記憶媒体１３には、この任意の情報として、生体情報測定装置１によって生体情報を測定する被測定者が通院する病院の次回の通院予定日の情報と、診断に必要な生体情報についての予め決められた条件の情報とが記憶される。
【００２８】
通院予定日の情報は、年月日を示す日付の情報であり、被測定者又は病院関係者によって生体情報測定装置１に入力されて記憶媒体１３に記憶される。
【００２９】
条件の情報は、医師又は看護師等の病院関係者によって生体情報測定装置１に入力されて記憶媒体１３に記憶されて、装置に設定される。
【００３０】
上記の条件の具体例（第一の条件〜第五の条件）を以下に列挙する。
【００３１】
第一の条件は、“基準となる任意の時点から記憶媒体１３に記憶された生体情報の数が閾値ＴＨ１以上になる”という条件である。
【００３２】
上記の閾値ＴＨ１は、被測定者の問診結果又は検査結果等を考慮して、被測定者の治療方針の判断に必要な適当な値（例えば１０万個等）が医師等により設定される。上記の任意の時点は、例えば、被測定者が診察を受けた年月日及び時刻等が病院関係者により設定される。
【００３３】
第二の条件は、“基準となる任意の時点から記憶媒体１３に記憶された１日分の生体情報のグループの数が閾値ＴＨ２以上となる”という条件である。
【００３４】
１日分の生体情報のグループとは、同一の日付の情報が対応付けて記憶された複数の生体情報によって構成される。このグループは、１日を複数の期間（例えば、朝・昼・晩の３分割、又は、１時間単位での２３分割等）に分けたときの各期間について、この期間に属する日時に対応する生体情報を所定数（１以上の値）含む。
【００３５】
例えば、同一の日付において１時間毎に少なくとも１回の生体情報の測定が行われていれば、この日付に対応する全ての生体情報を含むグループは、１日分の生体情報のグループとなる。
【００３６】
第二の条件は、例えば１週間分又は１か月分の生体情報の変化を知りたい場合等に設定される。
【００３７】
第一の条件と第二の条件は、それぞれ、記憶媒体１３に記憶された生体情報の数についての条件である。
【００３８】
第三の条件は、“基準となる任意の時点から記憶媒体１３に記憶された生体情報において、時系列でみたときに、生体情報が一時的に基準値以上まで上昇する又は生体情報の変動量が一時的に変動閾値以上となる第一のパターン（所謂サージ）の発生頻度が閾値ＴＨ３以上となること”である。
【００３９】
一時的とは、数秒〜数十秒程度の予め決められた短期間のことを言う。基準値と変動閾値と閾値ＴＨ３は、被測定者の健康状態に注意が必要と判断される値が医師によって設定される。発生頻度は、予め決められた期間（例えば１日等）における上記の第一のパターンの発生した回数を示す。
【００４０】
第四の条件は、“基準となる任意の時点から記憶媒体１３に記憶された生体情報の変化のパターンが特定のパターンを閾値ＴＨ４回以上含むことである。閾値ＴＨ４は、被測定者の問診結果又は検査結果等に応じた値が医師によって設定される。
【００４１】
特定のパターンは、上記の第一のパターンと、以下の第二のパターンと、のいずれかを含む。
【００４２】
第二のパターンは、生体情報を血圧情報としたときの１日分の生体情報の変化のパターンを言い、ｒｉｓｅｒと言われるパターン、ｎｏｎ−ｄｉｐｐｅｒと言われるパターン、又は、ｅｘｔｒｅｍｅ−ｄｉｐｐｅｒと言われるパターン等を含む。
【００４３】
ｅｘｔｒｅｍｅ−ｄｉｐｐｅｒは、予め決められた昼間の時間帯の生体情報に対する、予め決められた夜間の時間帯の生体情報の低下率が２０％以上となるパターンを言う。
【００４４】
ｎｏｎ−ｄｉｐｐｅｒは、昼間の時間帯の生体情報に対する、夜間の時間帯の生体情報の低下率が１０％未満となるパターンを言う。
【００４５】
ｎｏｎ−ｄｉｐｐｅｒのうち、昼間の時間帯の生体情報に対して、夜間の時間帯の生体情報が上昇するパターンがｒｉｓｅｒである。
【００４６】
特定のパターンをどのパターンとするかは、被測定者の問診結果又は検査結果等によって被測定者に応じたものが決められる。
【００４７】
第三の条件と第四の条件は、それぞれ、記憶媒体１３に記憶された生体情報の変化のパターンについての条件である。
【００４８】
第五の条件は、“基準となる任意の時点から記憶媒体１３に記憶された生体情報が、絶対値が閾値ＴＨ５以上の生体情報を含むこと”である。閾値ＴＨ５は、被測定者の健康状態に注意が必要と判断される値が医師によって設定される。第五の条件は、例えば異常に高い血圧値が測定された場合に早急に診察を行う必要があると判断される場合等に設定される。
【００４９】
操作部１４は、システム制御部１１に対する指示信号を入力するためのインタフェースであり、生体情報の測定を含む各種動作の開始又は終了等を指示するためのボタン又はタッチパネル等により構成される。
【００５０】
表示部１５は、測定された生体情報等の各種情報を表示するためのものであり、例えば液晶表示装置等により構成される。
【００５１】
図２は、図１に示す生体情報測定装置１のシステム制御部１１の機能ブロック図である。
【００５２】
システム制御部１１は、生体情報算出部１１Ａと、達成状況判定部１１Ｂと、通院予定日変更判定部１１Ｃと、報知処理部１１Ｄと、を備える。システム制御部１１は、診断支援装置を構成する。
【００５３】
生体情報算出部１１Ａ、達成状況判定部１１Ｂ、通院予定日変更判定部１１Ｃ、及び、報知処理部１１Ｄは、ＲＯＭに記憶されるプログラムをプロセッサが実行することによって構成される。このプログラムは、診断支援プログラムを含む。
【００５４】
生体情報算出部１１Ａは、脈波検出部１０から入力された脈波に基づいて周知の方法により生体情報を算出する。生体情報算出部１１Ａは、算出した生体情報と、この生体情報の算出に用いた脈波が検出された日付及び時刻の情報と、を対応付けて、記憶媒体１３に記憶する。記憶媒体１３には、１拍単位での生体情報が記憶されていく。生体情報算出部１１Ａは、複数拍に１回の頻度で生体情報を算出して記憶してもよい。
【００５５】
達成状況判定部１１Ｂは、所定の判定条件が満たされた場合に、記憶媒体１３に記憶された生体情報に基づき、記憶媒体１３に記憶されている上記条件の達成状況を判定する。具体的には、達成状況判定部１１Ｂは、記憶媒体１３に記憶された生体情報が上記条件をどの程度まで達成しているかを示す達成率を、達成状況を示す情報として出力する。
【００５６】
達成状況判定部１１Ｂは、記憶媒体１３に記憶された時系列で並ぶ複数の生体情報を解析して、複数の生体情報の総数、複数の生体情報に含まれる１日分のグループの総数、第一のパターンの発生頻度、第一のパターンの発生総数、及び、第二のパターンの発生総数を求め、求めた情報にしたがって条件の達成状況を判定する。
【００５７】
上記の判定条件は、例えば、操作部１４に含まれる測定終了ボタンが押される等して、生体情報の測定終了が指示されること、又は、操作部１４に含まれる達成状況表示ボタンが押される等して、達成状況の報知指示がなされること等である。
【００５８】
また、生体情報測定装置１が電池で動作するものである場合には、生体情報測定装置１の電池残量が生体情報の測定動作に必要な所定の残量閾値以下になるという判定条件を採用してもよい。
【００５９】
通院予定日変更判定部１１Ｃは、記憶媒体１３に記憶されている通院予定日の情報を取得し、取得した通院予定日の情報と、達成状況判定部１１Ｂにより判定された達成状況とに基づいて、被測定者の次回の通院予定日に変更が必要か否かを判定する。
【００６０】
例えば、記憶媒体１３に記憶された条件が第二の条件（“基準となる任意の時点から記憶媒体１３に記憶された１日分の生体情報のグループの数が閾値ＴＨ２以上となる”という条件）である場合を例にして説明する。ここでは、第二の条件における閾値ＴＨ２を“７”とする。
【００６１】
達成状況判定部１１Ｂが達成状況を判定した時点で、診断に必要な７日分の生体情報のグループに対して、記憶媒体１３に記憶済みの生体情報に含まれる１日分のグループの数が５個であったとする。
【００６２】
この場合は、第二の条件が達成されるまでに少なくとも残り２日は生体情報の測定が必要と判断できる。通院予定日変更判定部１１Ｃは、達成状況判定部１１Ｂが達成状況を判定した時点の日付から、通院予定日の日付までの日数（通院予定日までの残り日数）を算出し、算出した通院予定日までの残り日数と、第二の条件達成までに要する最低日数（上記の例では２日）とを比較する。
【００６３】
そして、通院予定日変更判定部１１Ｃは、通院予定日までの残り日数が、第二の条件達成までに要する最低日数を超えていれば、通院予定日の変更が必要ではないと判定する。通院予定日変更判定部１１Ｃは、通院予定日までの残り日数が、第二の条件達成までに要する最低日数以下であれば、通院予定日の変更が必要であると判定する。
【００６４】
報知処理部１１Ｄは、達成状況判定部１１Ｂにより判定された達成状況を報知する処理を行う。
【００６５】
この処理は、達成状況に基づく情報を表示部１５に表示させる処理、達成状況に基づく情報を生体情報測定装置１の図示しないスピーカから音声で出力させる処理、又は、達成状況に基づく情報を通信Ｉ／Ｆ１２から外部の電子機器（例えば被測定者の所持するスマートフォン等）に送信させる処理等である。
【００６６】
報知処理部１１Ｄは、通院予定日変更判定部１１Ｃによる判定結果に基づく情報を報知する処理も行う。
【００６７】
図３は、図１に示す生体情報測定装置１の動作の一例を説明するためのフローチャートである。ここでは、報知処理部１１Ｄが、表示部１５に情報を表示させることで報知を行う場合について説明する。また、上記の判定条件が、生体情報の測定終了の指示がなされたという条件であるものとして説明する。
【００６８】
生体情報測定装置１が被測定者に装着され、操作部１４に含まれる測定開始ボタンが押されると、システム制御部１１の生体情報算出部１１Ａは、脈波検出部１０により検出される脈波に基づいて生体情報を算出し、算出した生体情報を記憶媒体１３に記憶する（ステップＳ１）。
【００６９】
生体情報の測定開始後、システム制御部１１の達成状況判定部１１Ｂは、生体情報の測定終了の指示が入力されたか否かを判定する（ステップＳ２）。測定終了指示がない場合（ステップＳ２：ＮＯ）にはステップＳ１に処理が戻る。
【００７０】
測定終了指示がなされた場合（ステップＳ２：ＹＥＳ）には、達成状況判定部１１Ｂは、記憶媒体１３に記憶された生体情報のうち、基準となる任意の時点以降の生体情報に基づいて、記憶媒体１３に記憶されている条件（ここでは第二の条件とする）の達成状況を判定する（ステップＳ３）。
【００７１】
次に、システム制御部１１の通院予定日変更判定部１１Ｃは、記憶媒体１３に記憶されている通院予定日の情報を取得し、取得した通院予定日の情報と、ステップＳ３で判定された達成状況とに基づいて、被測定者の次回の通院予定日に変更が必要か否かを判定する（ステップＳ４）。
【００７２】
報知処理部１１Ｄは、ステップＳ４において通院予定日の変更が必要と判定された場合には（ステップＳ５：ＹＥＳ）、ステップＳ３で判定された達成状況に基づく情報と、通院予定日の変更を促す情報とを表示部１５に表示させる（ステップＳ７）。
【００７３】
図４（ａ）は、ステップＳ７において表示部１５に表示される画面例を示す図である。図４（ａ）では、ステップＳ３において達成状況の判定に用いた第二の条件の閾値ＴＨ２が“７”である場合の画面例を示している。
【００７４】
図４（ａ）に示すように、表示部１５には、達成状況に基づく情報として、「測定済み日数／必要日数」の項目と、この項目に対応する結果である「５／７」の文字とが表示される。“５”の数値は測定済み日数に対応し、“７”の数値は必要日数に対応する。“測定済み日数”は、１日分の生体情報のグループの数を示し、“必要日数”は上記の閾値ＴＨ２を示す。また、表示部１５には、通院予定日の変更を促す情報として、「計画より遅れています。診察予定日を延期して、再度予約をお願いします。」という通院予定日変更を促すメッセージが表示される。
【００７５】
報知処理部１１Ｄは、ステップＳ４において通院予定日の変更が不要と判定された場合には（ステップＳ５：ＮＯ）、ステップＳ３で判定された達成状況に基づく情報と、通院予定日の変更が必要ないことを示す情報とを表示部１５に表示させる（ステップＳ６）。
【００７６】
図４（ｂ）は、ステップＳ６において表示部１５に表示される画面例を示す図である。図４（ｂ）では、ステップＳ３において達成状況の判定に用いた第二の条件の閾値ＴＨ２が“７”である場合の画面例を示している。
【００７７】
図４（ｂ）に示すように、表示部１５には、達成状況に基づく情報として、図４（ａ）と同じものが表示される。また、表示部１５には、通院予定日の変更が不要であることを示す情報として、「計画通りです。診察予定日の変更は不要です。」というメッセージが表示される。なお、報知処理部１１Ｄは、ステップＳ６において、図４（ｃ）に示すように、達成状況に基づく情報のみを表示部１５に表示させてもよい。
【００７８】
図４（ｄ）〜図４（ｇ）は、ステップＳ６又はステップＳ７で表示部１５に表示される、達成状況に基づく情報の表示例を示す図である。
【００７９】
図４（ｄ）と図４（ｅ）は、達成状況判定部１１Ｂにより判定された達成率が８０％である場合の画面表示例である。図４（ｆ）と図４（ｇ）は、達成状況判定部１１Ｂにより判定された達成率が１００％である場合の画面表示例である。
【００８０】
第一の条件が採用された場合の達成率とは、記憶媒体１３に記憶された生体情報の総数の閾値ＴＨ１に対する割合であり、上限値は１００％である。
【００８１】
第二の条件が採用された場合の達成率とは、記憶媒体１３に記憶された１日分の生体情報のグループの総数の閾値ＴＨ２に対する割合であり、上限値は１００％である。
【００８２】
第三の条件が採用された場合の達成率とは、記憶媒体１３に記憶された生体情報に基づく第一のパターンの発生頻度の閾値ＴＨ３に対する割合であり、上限値は１００％である。
【００８３】
第四の条件が採用された場合の達成率とは、記憶媒体１３に記憶された生体情報に基づく特定のパターンの発生回数の閾値ＴＨ４に対する割合であり、上限値は１００％である。
【００８４】
報知処理部１１Ｄは、図４（ｄ）に示すように、達成率を示す情報をそのまま表示部１５に表示させてもよい。
【００８５】
また、報知処理部１１Ｄは、図４（ｅ）に示すように、達成率から求められる条件達成までに必要な残りの割合を示す情報を表示部１５に表示させてもよい。
【００８６】
また、報知処理部１１Ｄは、達成率が１００％の場合には、生体情報をこれ以上測定する必要がないことを示す情報として、図４（ｆ）に示すようなメッセージを表示させてもよい。
【００８７】
また、報知処理部１１Ｄは、達成率が１００％未満の場合には、生体情報の測定を継続する必要があることを示す情報として、図４（ｇ）に示すようなメッセージを表示させてもよい。
【００８８】
また、報知処理部１１Ｄは、メッセージに限らず、図５（ａ）及び図５（ｂ）に示すように、円グラフ又は棒グラフ等の図形で達成状況を報知してもよい。
【００８９】
以上のように、生体情報測定装置１は、生体情報の測定終了指示がなされた場合等に、記憶媒体１３に記憶された生体情報に基づいて、生体情報についての条件の達成状況を判定し、判定した達成状況を報知する。このため、被測定者は、報知された達成状況によって、次の診察までに必要な情報が記憶媒体１３に記憶できているかどうかを容易に確認することができる。したがって、情報が足りない状態で病院での診察がなされるのを防ぐことができ、医師は被測定者の診断を効率的に行うことができる。
【００９０】
また、生体情報測定装置１によれば、達成状況と通院予定日の情報とに基づいて、通院予定日の変更の要否が被測定者に報知される。これにより、情報が足りない状態で診察がなされるのを高い確度で防ぐことができる。
【００９１】
なお、システム制御部１１の通院予定日変更判定部１１Ｃは必須の構成要件ではなく、省略してもよい。この場合の生体情報測定装置１の動作は、図３に示すフローチャートにおいて、ステップＳ４〜ステップＳ７が削除され、ステップＳ３の後に、達成状況に基づく情報を含む画面（例えば、図４（ｃ）〜図４（ｇ）に示す画面）が表示部１５に表示されるものとなる。
【００９２】
また、生体情報測定装置１では、例えば、生体情報の測定終了指示がなされた場合に達成状況の報知が行われる。このため、被測定者が達成状況を見逃す可能性を極力減らすことができ、効率的な測定が可能となる。被測定者は、測定終了時には表示部１５等を必ず目視すると考えられるからである。
【００９３】
また、生体情報測定装置１では、例えば、生体情報測定装置１の電池残量が生体情報の測定動作に必要な残量閾値以下となった場合に達成状況の報知が行われる。このため、被測定者は、報知された内容によって、現時点から更に充電して測定を継続すべきかどうかの判断を行うことができ、無駄な充電作業をなくすことができる。
【００９４】
また、生体情報測定装置１では、達成状況の報知指示がなされた場合に達成状況の報知が行われる。このため、被測定者が任意のタイミングで達成状況を確認可能となる。したがって、生体情報を測定するモチベーション向上に寄与したり、無駄な測定をなくしたりすることができる。
【００９５】
図６は、本発明の一実施形態である診断支援システム１００の概略構成を示す図である。診断支援システム１００は、生体情報測定装置１Ａと、電子機器２と、を備える。
【００９６】
生体情報測定装置１Ａの内部ハードウェア構成は、生体情報測定装置１と同じであるため説明を省略する。生体情報測定装置１Ａのシステム制御部１１の機能ブロック図は、図２において、達成状況判定部１１Ｂ、通院予定日変更判定部１１Ｃ、及び、報知処理部１１Ｄを削除した構成である。
【００９７】
電子機器２は、パーソナルコンピュータ、スマートフォン、又は、タブレット端末等の電子機器である。
【００９８】
電子機器２は、生体情報測定装置１Ａと有線又は無線等で接続可能であり、生体情報測定装置１Ａの記憶媒体１３のデータを読み込み可能である。なお、生体情報測定装置１Ａの記憶媒体１３が可搬型である場合には、電子機器２がこの記憶媒体からデータを読み取り可能な手段を有し、装着された記憶媒体からデータを読み取る構成としてもよい。
【００９９】
図７は、図６に示す診断支援システム１００の電子機器２の内部ハードウェア構成を示す図である。
【０１００】
電子機器２は、全体を統括制御するシステム制御部２１と、通信インタフェース（Ｉ／Ｆ）２２と、記憶媒体２３と、操作部２４と、表示部２５と、を備える。
【０１０１】
システム制御部２１は、プロセッサを主体に構成されており、プロセッサの実行するプログラム等が記憶されるＲＯＭ及びワークメモリとしてのＲＡＭ等を含む。
【０１０２】
通信Ｉ／Ｆ２２は、生体情報測定装置１Ａを含む電子機器と有線又は無線で接続するためのインタフェースである。
【０１０３】
記憶媒体２３は、生体情報測定装置１Ａから読み出したデータを記憶する。記憶媒体２３は、例えばフラッシュメモリ等により構成される。
【０１０４】
操作部２４は、システム制御部２１に対する指示信号を入力するためのインタフェースであり、キーボード、マウス、ボタン、又は、タッチパネル等により構成される。
【０１０５】
表示部２５は、各種情報を表示するためのものであり、例えば液晶表示装置等により構成される。
【０１０６】
図８は、図７に示す電子機器２のシステム制御部２１の機能ブロック図である。
【０１０７】
システム制御部２１は、測定データ取得部２１Ａと、達成状況判定部２１Ｂと、通院予定日変更判定部２１Ｃと、報知処理部２１Ｄと、を備える。
【０１０８】
測定データ取得部２１Ａ、達成状況判定部２１Ｂ、通院予定日変更判定部２１Ｃ、及び、報知処理部２１Ｄは、ＲＯＭに記憶されるプログラムをプロセッサが実行することによって構成される。このプログラムは、診断支援プログラムを含む。システム制御部２１は診断支援装置を構成する。
【０１０９】
測定データ取得部２１Ａは、生体情報測定装置１Ａの記憶媒体１３から、この記憶媒体１３に記憶された生体情報を含む各種データ（生体情報についての条件の情報及び通院予定日の情報を含む）を取得して、記憶媒体２３に記憶する。
【０１１０】
達成状況判定部２１Ｂは、達成状況判定部１１Ｂと同様の機能を有し、電子機器２の操作部２４が操作されて達成状況の報知指示がなされた場合、又は、記憶媒体１３のデータの記憶媒体２３へのコピーが完了した場合等のタイミングで、記憶媒体２３に記憶された任意の時点以降の生体情報に基づいて、記憶媒体２３に記憶された条件の達成状況を判定する。
【０１１１】
通院予定日変更判定部２１Ｃは、通院予定日変更判定部１１Ｃと同様の機能を有し、達成状況判定部２１Ｂにより判定された達成状況と、記憶媒体２３に記憶された通院予定日の情報とに基づいて、通院予定日の変更の要否を判定する。
【０１１２】
報知処理部２１Ｄは、報知処理部１１Ｄと同様の機能を有し、達成状況判定部２１Ｂにより判定された達成状況に基づく情報と、通院予定日変更判定部２１Ｃにより判定された通院予定日の要否の情報とを報知する処理を行う。報知処理部２１Ｄは、表示部２５に情報を表示させたり、図示しないスピーカから音声を出力させたりすることで報知を行う。
【０１１３】
以上のように、電子機器２において、条件の達成状況と通院予定日の変更の要否を判定して報知する構成とすることもできる。この構成によれば、生体情報測定装置１Ａでの処理量を削減して、装置の電池寿命を延ばすことができる。また、生体情報測定装置１Ａに表示部又はスピーカ等が設けられない場合でも、達成状況等を被測定者に報知することができ、生体情報測定装置１Ａの小型化及び低コスト化にも対応可能となる。
【０１１４】
以上の説明では、生体情報測定装置１及び生体情報測定装置１Ａが、脈波検出部１０により検出された生体信号としての脈波に基づいて拍単位で生体情報を算出するものとしたが、生体情報の測定方式又は生体情報の測定頻度はこれに限らず、周知のものを採用することができる。
【０１１５】
例えば、生体情報測定装置１及び生体情報測定装置１Ａは、脈波検出部１０の代わりに脈波伝搬速度を測定するデバイスを用い、このデバイスによって検出される生体信号としての脈波伝搬速度に基づいて血圧情報等の生体情報を拍単位で算出する構成としてもよい。
【０１１６】
また、生体情報測定装置１及び生体情報測定装置１Ａは、オシロメトリック法等で血圧情報、脈拍情報、又は、心拍情報等を算出し、これらの情報を記憶媒体１３に記憶するものであってもよい。また、生体情報の測定は、医師から指定されたタイミング（例えば、朝昼晩又は１時間毎等）で行われるようにしてもよい。
【０１１７】
また、報知処理部１１Ｄ及び報知処理部２１Ｄは、基本的には、生体情報測定装置１及び生体情報測定装置１Ａの被測定者に対して達成状況を報知するものであるが、達成状況に基づく情報を被測定者の通院する病院の端末にインターネット等を介して送信し、病院関係者に対して達成状況を報知する構成としてもよい。
【０１１８】
この構成によれば、病院側において患者の測定状況を把握することができ、患者に対して予約日の変更を促す等の対応が可能となる。この結果、診断を効率に行うことが可能となる。
【０１１９】
また、報知処理部１１Ｄ及び報知処理部２１Ｄは、１日等の予め決められた期間毎に、被測定者又は病院関係者に対して達成状況を報知してもよい。このようにすることで、被測定者が特定の操作を行わずとも達成状況をプッシュで知らせることができ、生体情報のサンプル数が足りない状況である場合には被測定者に改善を促す効果が期待できる。また、病院関係者が、被測定者に改善を促すアドバイスを行うこともできる。
【０１２０】
また、報知処理部１１Ｄ及び報知処理部２１Ｄは、上記の条件（第一の条件〜第五の条件）が達成された場合に、被測定者又は病院関係者に対して、条件が達成されたことを報知してもよい。
【０１２１】
上述してきた各種プログラムは、当該プログラムをコンピュータが読取可能な一時的でない（ｎｏｎ−ｔｒａｎｓｉｔｏｒｙ）記憶媒体に記憶される。
【０１２２】
このような「コンピュータ読取可能な記憶媒体」は、たとえば、ＲＯＭ、ＣＤ−ＲＯＭ（Ｃｏｍｐａｃｔ  Ｄｉｓｃ−ＲＯＭ）等の光学媒体、又は、メモリカード等の磁気記憶媒体等を含む。また、このようなプログラムを、ネットワークを介したダウンロードによって提供することもできる。
【０１２３】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１２４】
以上説明してきたように、本明細書には以下の事項が開示されている。
【０１２５】
開示された診断支援装置は、被測定者から測定されて記憶媒体に記憶された複数の生体情報を用いて行われる診断を支援する診断支援装置であって、前記記憶媒体に記憶された複数の生体情報に基づいて、被測定者から測定される生体情報についての予め決められた条件の達成状況を判定する達成状況判定部と、前記達成状況を報知する処理を行う報知処理部と、を備えるものである。
【０１２６】
開示された診断支援装置は、前記条件は、前記記憶媒体に記憶された生体情報の数についての条件であるものを含む。
【０１２７】
開示された診断支援装置は、前記条件は、前記記憶媒体に記憶された生体情報の数が閾値以上となることであるものを含む。
【０１２８】
開示された診断支援装置は、前記条件は、前記記憶媒体に記憶された１日分の生体情報のグループの数が閾値以上となることであるものを含む。
【０１２９】
開示された診断支援装置は、前記条件は、前記記憶媒体に記憶された生体情報の変化のパターンについての条件であるものを含む。
【０１３０】
開示された診断支援装置は、前記条件は、前記記憶媒体に記憶された生体情報において、生体情報が一時的に基準値以上まで上昇するパターンの発生頻度が閾値以上となることであるものを含む。
【０１３１】
開示された診断支援装置は、前記条件は、前記記憶媒体に記憶された生体情報の変化のパターンが特定のパターンを閾値回以上含むことであるものを含む。
【０１３２】
開示された診断支援装置は、前記特定のパターンは、生体情報が一時的に基準値以上まで上昇するパターン、又は、生体情報の変動量が一時的に閾値以上となるパターンであるものを含む。
【０１３３】
開示された診断支援装置は、前記特定のパターンは、ｅｘｔｒｅｍｅ−ｄｉｐｐｅｒ、ｎｏｎ−ｄｉｐｐｅｒ、又は、ｒｉｓｅｒであるものを含む。
【０１３４】
開示された診断支援装置は、前記条件は、前記記憶媒体に記憶された生体情報に絶対値が閾値以上となるものが含まれることであるものを含む。
【０１３５】
開示された診断支援装置は、前記生体情報は血圧情報であるものを含む。
【０１３６】
開示された生体情報測定装置は、生体情報を測定して記憶媒体に記憶する生体情報測定装置であって、前記診断支援装置を備えるものである。
【０１３７】
開示された生体情報測定装置は、前記報知処理部は、生体情報の測定終了指示がなされた場合、生体情報測定装置の電池残量が生体情報の測定動作に必要な残量閾値以下となった場合、又は、達成状況の報知指示がなされた場合に、前記達成状況を報知するものである。
【０１３８】
開示された生体情報測定装置は、前記報知処理部は、予め決められた期間毎に、前記達成状況を報知するものである。
【０１３９】
開示された生体情報測定装置は、被測定者の通院予定日の情報を記憶する記憶媒体から前記通院予定日の情報を取得し、当該情報と前記達成状況とに基づいて、前記通院予定日に変更が必要か否かを判定する通院予定日変更判定部を更に備え、前記報知処理部は、前記達成状況に加えて、前記通院予定日変更判定部による判定結果を更に報知するものである。
【０１４０】
開示された生体情報測定装置は、前記報知処理部は、前記条件が達成された場合に、前記条件が達成されたことを示す情報を報知するものである。
【０１４１】
開示された生体情報測定装置は、被測定者から検出される生体信号に基づいて生体情報を拍単位で算出する生体情報算出部を備える生体情報測定装置。
【０１４２】
開示された診断支援方法は、生体情報測定装置によって被測定者から測定されて記憶媒体に記憶された複数の生体情報を用いて行われる診断を支援する診断支援方法であって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、を備えるものである。
【０１４３】
開示された開示された診断支援プログラムは、生体情報測定装置によって被測定者から測定されて記憶媒体に記憶された複数の生体情報を用いて行われる診断を支援する診断支援プログラムであって、前記記憶媒体に記憶された複数の生体情報に基づいて、被測定者から測定される生体情報についての予め決められた条件の達成状況を判定する達成状況判定ステップと、前記達成状況を報知する処理を行う報知処理ステップと、をコンピュータに実行させるためのものである。
【産業上の利用可能性】
【０１４４】
本発明は、特に血圧計等に適用して利便性が高く、有効である。
【符号の説明】
【０１４５】
１，１Ａ  生体情報測定装置
１０  脈波検出部
１１，２１  システム制御部
１２，２２  通信Ｉ／Ｆ
１３，２３  記憶媒体
１４，２４  操作部
１５，２５  表示部
１１Ａ  生体情報算出部
１１Ｂ，２１Ｂ  達成状況判定部
１１Ｃ，２１Ｃ  通院予定日変更判定部
１１Ｄ，２１Ｄ  報知処理部
１００  診断支援システム
２  電子機器
２１Ａ  測定データ取得部
【図１】
2017184999.tif 000003
【図２】
2017184999.tif 000004
【図３】
2017184999.tif 000005
【図４】
2017184999.tif 000006
【図５】
2017184999.tif 000007
【図６】
2017184999.tif 000008
【図７】
2017184999.tif 000009
【図８】
2017184999.tif 000010